【事件の表示】
　特願２００４−　８９８１３「工具マガジン」拒絶査定不服審判事件〔平成１７年　４月１４日出願公開、特開２００５−　９６０６３〕について、次のとおり審決する。
【結　論】
　本件審判の請求は、成り立たない。
【理　由】
１　手続の経緯・本願発明
　本件出願は、特許法第４１条に基づく優先権主張を伴う平成１６年３月２５日（優先日、平成１５年８月１５日）の特許出願であって、その請求項１ないし３に係る発明は、平成２３年６月９日付け手続補正書によって補正された特許請求の範囲及び明細書、出願当初の図面の記載からみて、本願の特許請求の範囲の請求項１ないし３に記載された事項により特定されるとおりのものと認められるところ、その請求項１に記載された発明は、次のとおりである。（以下「本願発明」という。）
「工具を貯蔵するものであり、複数のグリッパを無端チェーン状に連結して取り付けた連鎖状の工具マガジンであって、
　前記工具マガジンはグリッパを鉛直軸線周りに周回可能で、かつ所望のグリッパを所定の位置に位置決め可能に設けられるとともに、グリッパが取り付けられる連結板を有し、
　前記グリッパには、工具が収納されるＵ字状の把持爪の開口が外向きに形成されるとともに、前記グリッパの内周側端部が前記連結板の鉛直面に対して勾配を有する傾斜板を介して前記連結板に取り付けられることにより、前記グリッパの上面は、前記グリッパに工具のフランジ部が載置または係合されるように工具マガジン外周側が水平面に対して持ち上がる方向に３度ないし１５度の傾斜をもって形成されて、前記工具マガジンの周回による遠心力で工具が外れて飛び出さないよう前記グリッパに載置された工具に前記工具マガジンの周回の中心に向かう求心力を発生させ、
　前記グリッパを隣の工具が接触しない間隔で配置することを特徴とした工具マガジン。」
　
２　引用刊行物記載の発明
　これに対して、当審での平成２３年４月２１日付けの拒絶の理由に引用された、本件出願の優先日前である昭和６２年３月１４日に頒布された実願昭６０−１３６０４１号（実開昭６２−４２９３６号）のマイクロフィルム（以下「刊行物１」という。）、及び本件出願の優先日前である平成１２年９月５日に頒布された特開２０００−２３７６９５号公報（以下、「刊行物２」という。）には、以下の記載がある。
（１）　刊行物１に記載された発明
ア　第１ページ第１４行〜第１６行
「＜産業上の利用分野＞
　本考案は工作機械に装着する自動工具交換装置用ツールチエンの構造に関するものである。」
イ　第４ページ第８行〜第６ページ第１７行
「第１図は本考案のツールポットチエンの平面図であり、第２図は第１図中のＡ−Ａとピン部の部断面図である。第３図はツールマガジンの一例を示す側面略図であり、第４図は同平面略図である。
　先ず、第１図及び第２図に示す例について説明する。チエンは中空のチエンピン（１）と上下にそれぞれ２枚宛回動可能に装着されたリンク（２）（２）で構成する通常のものである。そして、これらリンクでつながる２個のチエンピン（１）（１）に対してそれぞれグリップスライド軸（３）を設け、その上部にチエンピン（１）と直角方向に工具クランプのための半円弧状のグリップ板（４）を、下部にフック駒（５）を設ける。
　工具のグリップ板（４）は工具ホルダー（６）を支持する半円弧状のグリップ面（７）とその両側面に挿着した工具クランプスプリング（８）（８）を備えている。工具クランプスプリング（８）は板バネで先端をカーブさせ、グリップ面（７）より前へ突出させ、第１図の左方の状態で工具ホルダー（６）を抜き差しする簡単な構造である。
　工具グリップ板（４）をチエンピン（１）に挿着するグリップスライド軸（３）は後述するツールマガジンから主軸への工具の脱着を交換アームなしにするためのものであるが、両隣接の工具が主軸に干渉しない場合は、このスライド軸（３）を短くして固定軸にしてもよい。
　工具グリップ板（４）の円弧状グリップ面（７）と反対側にはチエン直線部でのチエンガイドとなるガイドローラ（９）を設けている。これは第２図左方に示すようにチエン直線ガイド（１０）に接して転動するローラである。
　第３図と第４図は本考案のツールチエンを挿着したツールマガジンの例であり、主軸（１１）のコラム（１２）側面に設置し、マガジン駆動モータ（１３）と連結した駆動軸（１４）のスプロケット（１５）と主軸交換位置（Ｐ）近くのスプロケット（１６）とに張架する。スプロケット（１６）にはマガジン割出シリンダ（１７）と割出ノック（１８）を設けるのは従来と同様である。
　ここで、前述のグリップスライド軸（３）を上下させて主軸（１１）とツールチエンのグリップ面（７）との間で工具を受け渡しするのであるが、そのために、グリップスライド軸（３）のフック駒（５）に係止して上下するスライド駒（１９）をガイド軸（２０）に摺動自在に挿着し、これを、第３図に示すように支点（２１）で回動するアングル状のスライドレバー（２２）と、それを動かすグリップ移動シリンダ（２３）を支点（２４）に設けている。グリップ移動シリンダ（２３）を引けば、工具ホルダは実線位置にあり、伸ばせば二点鎖線の主軸挿着位置へ移動でき主軸からの工具の着脱ができるのである。」
ウ　ここで、図面の第３図及び第４図を参照すると、チエンはスプロケット（１５）、（１６）に掛け回されているので、チエンは無端状であることが理解できる。
　また、複数あるチエンピン（１）（１）のそれぞれにグリップ板（４）を有するグリップスライド軸（３）が設けられていることから、グリップ板（４）が複数設けられていることは明らかである。
　さらに、第２図及び第３図を参照することにより、チエンはグリップ板（４）を鉛直軸線周りに周回可能に設けていることが見て取れる。また、摘記事項イにおける「スプロケット（１６）にはマガジン割出シリンダ（１７）と割出ノック（１８）を設けるのは従来と同様である。」の記載から、所望のグリップ板（４）を所定の位置に割出可能にしているものであることは明らかである。
　また、第４図を参照することにより、各グリップ板（４）には、外向きに開口するように半円弧状グリップ面（７）が設けられているのが見て取れる。そして、第１図及び第２図を参照することにより、工具ホルダ（６）にはフランジ部が設けられ、当該フランジ部にグリップ板（４）の半円弧状グリップ面（７）が係合しているものであることは明らかである。
エ　刊行物１記載の発明
　以上ア〜イの記載事項、及びウの認定事項から、刊行物１には、以下の発明が記載されていると認められる。
「工作機械に装着する自動工具交換装置用ツールチエンであり、中空のチエンピン（１）と上下にそれぞれ２枚宛回動可能に装着されたリンク（２）（２）で構成された無端状のチエンにおけるチエンピン（１）（１）に対してそれぞれグリップスライド軸（３）を設け、その上部にチエンピン（１）と直角方向に工具クランプのための半円弧状のグリップ板（４）を複数設けたツールポットチエンであって、
　前記ツールポットチエンはグリップ板（４）を鉛直軸線周りに周回可能で、かつ所望のグリップ板（４）を所定の位置に割出可能に設けられ、
　前記グリップ板（４）には、工具ホルダー（６）のフランジ部に係合してこれを支持する外向きに開口する半円弧状のグリップ面（７）と、その両側面に装着した工具クランプスプリング（８）（８）を備えているツールポットチエン。」（以下、「引用発明」という。）
（２）　刊行物２に記載された事項
オ　段落【０００１】
「【発明の属する技術分野】この発明は、ねじ、釘、リベットなどの頭部付き軸体の良否検査を行って良品と不良品を選り分ける選別装置に関する。」
カ　段落【００１６】
「図１及び図２の１は水平配置の回転テーブルである。このテーブル１は垂直な駆動軸７の上端に取付けられ、定速で回転せしめられる。この回転テーブル１の外周には切欠き溝３が定ピッチで設けられ、そこにワークＡの首部が嵌まる。」
キ　段落【００１８】〜【００１９】
「図３は、回転テーブル１の外周の断面を拡大して示している。この図３から判るように、テーブル１の支持面２を、テーブル外周側で位置が高くなる方向にθ°傾けており、これにより、先に述べた作用が生じて回転テーブル１によるワーク支持が安定する。
　なお、支持面２の傾斜角はほぼ１°〜１０°、中でも２°〜５°が好ましかった。ここではその傾斜角を約２°としたが、これは、ワークのサイズやテーブル１の回転速度によって適正値を選択する。」
ク　段落【００２１】〜【００２２】
「【発明の効果】以上述べたように、この発明の選別装置は、回転テーブルに形成されるワーク頭部の支持面を傾斜させて遠心力を受けたときにワークの頭部が支持面に面接触するようにしたので、ワークの支持が安定し、検査中のワークの揺れが防止されて検査精度が向上する。
　また、移送中のワークが固定ガイドに接して起こるワーク回転が防止され、ワークの意図せぬ位置での落下も起こらない。」
ケ　刊行物２記載事項
　以上オ〜クの記載事項から、刊行物２には、以下の事項が記載されていると認められる。
「選別装置であって、水平配置の回転テーブル１の外周に切欠き溝３が定ピッチで設けられ、そこにワークＡの首部が嵌まるものであって、テーブル１の支持面２をテーブル外周側で位置が高くなる方向にほぼ１°〜１０°傾けることにより、回転テーブル１の回転により遠心力を受けてもワークの頭部が支持面に面接触するようにしてワークの支持を安定させること。」（以下、「引用刊行物２記載事項」という。）
　
３　対比
　本願発明と引用発明を対比すると、引用発明の「工作機械に装着する自動工具交換装置用ツールチエン」、「グリップ板（４）」、「中空のチエンピン（１）と上下にそれぞれ２枚宛回動可能に装着されたリンク（２）（２）で構成された無端状のチエン」、「ツールポットチエン」は、それぞれ、本願発明の「工具を貯蔵するもの」、「グリッパ」、「無端チェーン状」、「連鎖状の工具マガジン」に相当する。
　引用発明の「無端状のチエンにおけるチエンピン（１）（１）に対してそれぞれグリップスライド軸（３）を設け、その上部にチエンピン（１）と直角方向に工具クランプのための半円弧状のグリップ板（４）を複数設けた」ことは、本願発明の「複数のグリッパを無端チェーン状に連結して取り付けた」ことに相当する。
　引用発明の「割出可能」は、本願発明の「位置決め可能」に相当する。
　引用発明の「グリップスライド軸（３）」は、グリッパに相当するグリップ板（４）が設けられることから、「連結部材」という限りで、本願発明のグリッパが取り付けられる「連結板」と共通する。そして、引用発明の「設け」ることは、本願発明の「取り付け」られることに相当する。
　引用発明の「工具ホルダー（６）」は、本願発明の「工具」に相当する。したがって、引用発明の「工具ホルダー（６）のフランジ部に係合してこれを支持する」ことは、本願発明の「工具が収納される」ことに相当する。
　引用発明の「半円弧状」は、「Ｕ字状」と言えるものである。したがって、引用発明の「半円弧状のグリップ面（７）」は、本願発明の「Ｕ字状の把持爪」に相当する。
　以上の点から、両者は以下の点で一致し、また、以下の点で相違している。
＜一致点＞
「工具を貯蔵するものであり、複数のグリッパを無端チェーン状に連結して取り付けた連鎖状の工具マガジンであって、
　前記工具マガジンはグリッパを鉛直軸線周りに周回可能で、かつ所望のグリッパを所定の位置に位置決め可能に設けられるとともに、グリッパが取り付けられる連結部材を有し、
　前記グリッパには、工具が収納されるＵ字状の把持爪の開口が外向きに形成され、グリッパは、グリッパに工具のフランジ部が係合される、工具マガジン。」
＜相違点１＞
　グリッパの取り付け及び取り付け角度に関して、本願発明では、グリッパが取り付けられる「連結板」を有すると特定するとともに、「グリッパの内周側端部が連結板の鉛直面に対して勾配を有する傾斜板を介して前記連結板に取り付けられることにより、前記グリッパの上面は、前記グリッパに工具のフランジ部が載置または係合されるように工具マガジン外周側が水平面に対して持ち上がる方向に３度ないし１５度の傾斜をもって形成されて、前記工具マガジンの周回による遠心力で工具が外れて飛び出さないよう前記グリッパに載置された工具に前記工具マガジンの周回の中心に向かう求心力を発生させ」るようにしているのに対して、引用発明では、グリップ板（４）の上面は傾斜を有するものではなく、また、連結部材はグリップスライド軸（３）であって、傾斜板を有していない点。
＜相違点２＞
　グリッパを配置する間隔に関して、本願発明では、「グリッパを隣の工具が接触しない間隔で配置する」と特定しているのに対して、引用発明では、グリップ板（４）がどのような間隔で配置されているのか不明な点。
　
４　当審の判断
　上記相違点について検討する。
ア　＜相違点１＞について
　引用刊行物２記載事項は、「選別装置であって、水平配置の回転テーブル１の外周に切欠き溝３が定ピッチで設けられ、そこにワークＡの首部が嵌まるものであって、テーブル１の支持面２をテーブル外周側で位置が高くなる方向にほぼ１°〜１０°傾けることにより、回転テーブル１の回転により遠心力を受けてもワークの頭部が支持面に面接触するようにしてワークの支持を安定させること。」である。すなわち、水平配置され、回転する回転テーブル１の外周に切欠き溝３を設け、該切欠き溝３にワークＡの首部を嵌めて支持する場合、テーブル１の支持面２をテーブル外周側で位置が高くなるように傾けることにより、遠心力を受けてもワークの支持を安定させるものである。そして、引用発明も、引用刊行物２記載事項も、ともに、回転する部材に外向きに開口する支持部が設けられ、その支持部により別の部材を支持するものであることから、引用刊行物２記載事項における「支持面２を回転するテーブル外周側で位置が高くなるように傾ける」という技術を引用発明に適用し、そのグリップ板（４）においても、その上面を、外周側が水平面に対して持ち上がる方向に傾けることは、当業者が容易に想定し得たものである。そして、グリップ板（４）の上面を、外周側が水平面に対して持ち上がる方向に傾ければ、結果として、回転するツールポットチエンの周回による遠心力で工具ホルダー（６）が外れて飛び出さないようにグリップ板（４）に載置された工具ホルダー（６）にツールポットチエンの周回の中心に向かう求心力を発生させることになるものであることは明らかである。
　なお、本願発明では、さらに、工具マガジン外周側が水平面に対して持ち上がる方向の傾斜を「３度ないし１５度」と特定し、また、グリッパの取付に関して、連結部材を「連結板」とし、「グリッパの内周側端部が連結板の鉛直面に対して勾配を有する傾斜板を介して前記連結板に取り付けられる」ものと特定している。
　しかしながら、上記特定した点につき、前者については、引用刊行物２記載事項における傾斜角度も「１°〜１０°」であって、本願発明の「３度ないし１５度」と重複するものであり、また、特に傾斜角度を「３度ないし１５度」と特定しても、そのことによる臨界的な意義も見当たらないことからすれば、上記傾斜角度の特定は、単なる設計的事項にすぎない。
　また、上記特定した点につき、後者については、一般に部材を傾斜させて取り付ける場合、被取り付け部材を板状とし、間に傾斜する部材、すなわち傾斜板を介在させることは、例えば、特開昭６２−１０１７３７号公報（第２ページ右上欄第１行〜第１３行及び第１図参照。「ガゼットプレート２」が「傾斜板」に相当。）、特開平１−１７４７４１号公報（第２ページ左上欄第３行〜第１５行及び第２図、第３図参照。「ガゼットプレート３」が「傾斜板」に相当。）、実願昭５８−１１５７４１号（実開昭６０−２３５２５号）のマイクロフィルム（第２ページ第１１行〜第１８行及び第２図参照。「連結金具３」が「傾斜板」に相当。）それぞれに記載されているように従来周知の事項であることからすれば、引用発明においても、グリップ板（４）のグリップスライド軸（３）に取り付けるに際し、グリップスライド軸（３）の取付部を板状とし、間に傾斜板を介在させてグリップ板（４）を板状のグリップスライド軸（３）に取り付けるようにすることは、当業者にとって格別の困難性を有するものではない。そして、板状のグリップスライド軸（３）とグリップ板（４）との間に傾斜板を介在させた場合には、傾斜板がグリップスライド軸（３）の鉛直面に対して設けられるものになることは明らかである。
イ　＜相違点２＞について
　グリッパに工具を設けた場合、隣接する工具が接触すると工具の収納に不都合が生じることは明らかであるので、引用発明において、グリップ板（４）を隣の工具ホルダー（６）が接触しない間隔で配置することは、当業者が当然考慮すべき、単なる設計的事項に過ぎない。
ウ　＜作用・効果＞について
　本願発明が奏する作用ないし効果についても、引用発明、引用刊行物２記載事項、及び従来周知の事項から予測し得る範囲のものでしかない。
　
５　むすび
　したがって、本願発明は、刊行物１に記載された発明、刊行物２記載の事項、及び従来周知の事項に基づいて当業者が容易に発明をすることができたものであるから、特許法第２９条第２項の規定により特許を受けることができず、本願の請求項２ないし３に係る発明について検討するまでもなく、本願は拒絶されるべきものである。
　
　よって、結論のとおり審決する。